(57)【要約】【課題】アレイアンテナの送信の指向性の制御と、増幅部から出力される送信信号の歪みを補正する処理とを行う際の処理負荷を低減することが可能な技術を提供する。【解決手段】ウェイト・補正値算出部４は、アレイアンテナ１の送信の指向性を制御するための送信ウェイトＳＷを算出する。歪み補正値算出部は、増幅部３０７から出力された送信信号に基づいて、増幅部３０７で増幅された信号の歪みを補正するための歪み補正値ＤＣを算出する。調整値算出部３０２は、送信ウェイトＳＷと歪み補正値ＤＣとから、増幅部３０７に入力される送信信号に対する調整値αを算出する。送信信号調整部３０３は、調整値αに基づいて送信複素信号ＳＳ２を調整することによって、アレイアンテナの送信の指向性の制御と増幅部３０７から出力される送信信号の歪みを補正する処理とを同時に行う。【選択図】図２
2011244087.tif 000002
【特許請求の範囲】
【請求項１】
複数のアンテナからなるアレイアンテナを用いて、通信端末と信号の送受信を行なう基地局であって、
前記通信端末に送信する送信信号を増幅する増幅部と、
前記増幅部から出力された信号に基づいて、前記増幅部で増幅された信号の歪みを補正するための歪み補正値を算出する歪み補正値算出部と、
前記複数のアンテナが受信した前記通信端末から信号に基づいて、前記アレイアンテナの送信の指向性を制御するための送信ウェイトを算出する送信ウェイト算出部と、
前記送信ウェイト算出部により算出された送信ウェイトと、前記歪み補正値算出部により算出された歪み補正値とから、前記増幅部に入力される送信信号に対する調整値を算出する調整値算出部と、
前記調整値に基づいて、前記増幅部に入力される送信信号を調整することによって、前記アレイアンテナの送信の指向性の制御と前記増幅部から出力される信号の歪み補正とを同時に行う調整部と
を備える基地局。
【請求項２】
請求項１の記載の基地局であって、
前記歪み補正値算出部により算出された歪み補正値を記憶する記憶部を備え、
前記調整値算出部は、前記送信ウェイトが更新された場合に前記記憶部に記憶された歪み補正値を読み出し、読み出した歪み補正値と、更新された送信ウェイトとから、前記増幅部に入力される送信信号に対する調整値を算出する、基地局。
【請求項３】
請求項１に記載の基地局であって、
前記アレイアンテナで受信される複数の受信信号に対して、前記アレイアンテナの受信の指向性を制御するための受信ウェイトを設定する受信ウェイト処理部と、
前記受信ウェイトが設定された前記複数の受信信号を合成して合成受信信号を生成する受信信号合成部と、
参照信号と前記合成受信信号との差が最小となる前記受信ウェイトを最適受信ウェイトとして求める最適受信ウェイト算出部と、
前記増幅部の前段に設けられ、前記増幅部に入力される送信信号をデジタル形式からアナログ形式に変換するＤ／Ａ変換器と、
前記増幅部の出力信号であるフィードバック送信信号をアナログ形式からデジタル形式に変換するＡ／Ｄ変換器と、
前記Ａ／Ｄ変換器が前記フィードバック送信信号をサンプリングする際に発生する、前記Ｄ／Ａ変換器に入力される送信信号に対する、前記Ａ／Ｄ変換器から出力される前記フィードバック送信信号の誤差を補正するサンプリング誤差補正部と
をさらに備え、
前記歪み補正値算出部は、前記Ｄ／Ａ変換器に入力される送信信号と、前記サンプリング誤差補正部において前記誤差が補正された前記フィードバック送信信号とに基づいて、前記歪み補正値を算出し、
前記サンプリング誤差補正部は、
前記Ａ／Ｄ変換器から出力される前記フィードバック送信信号の複数のサンプル値に対して、前記誤差を補正するための補正ウェイトを設定する補正ウェイト処理部と、
前記補正ウェイトが設定された前記複数のサンプル値を合成して合成サンプル値を生成するフィードバック信号合成部と、
前記Ｄ／Ａ変換器に入力される送信信号のサンプル値と前記合成サンプル値との差が最小となる前記補正ウェイトを最適補正ウェイトとして求める最適補正ウェイト算出部と
を有し、
前記サンプリング誤差補正部は、前記最適補正ウェイトが設定された前記複数のサンプル値が合成されて得られる前記合成サンプリング値を、前記誤差が補正された前記フィードバック送信信号のサンプル値とし、
前記最適受信ウェイト算出部と前記最適遅延補正ウェイト算出部とは、第１入力信号に対する第２入力信号の誤差を示す誤差信号を求める誤差信号取得部を共有しており、
前記最適受信ウェイト算出部は、前記誤差信号取得部に対して、前記第１入力信号として参照信号が入力され、かつ前記第２入力信号として前記合成受信信号が入力された際の前記誤差信号に基づいて前記最適受信ウェイトを求め、
前記最適補正ウェイト算出部は、前記誤差信号取得部に対して、前記第１入力信号として前記Ｄ／Ａ変換器に入力される送信信号のサンプル値が入力され、前記第２入力信号として前記合成サンプル値が入力された際の前記誤差信号に基づいて前記最適補正ウェイトを求める、基地局。
【請求項４】
請求項１に記載の基地局であって、
前記基地局では、少なくとも１つの送信スロットを含む送信期間と少なくとも１つの受信スロットを含む受信期間とが交互に現れ、
前記調整部は、ある送信スロットにおいて前記歪み補正値算出部が前記歪み補正値を新たに求めると、当該ある送信スロットにおいては新たに求められた前記歪み補正値に基づく前記調整値は使用せずに、当該ある送信スロットよりも後の送信スロットにおいて、新たに求められた前記歪み補正値に基づく前記調整値に基づいて、前記増幅部に入力される送信信号を調整する、基地局。
【請求項５】
複数のアンテナからなるアレイアンテナを用いて、通信端末と信号の送受信を行なう基地局での送信信号の調整方法であって、
（ａ）前記基地局が有する、前記通信端末に送信する送信信号を増幅する増幅部から出力された信号に基づいて、前記増幅部で増幅された信号の歪みを補正するための歪み補正値を算出する工程と、
（ｂ）前記複数のアンテナが受信した前記通信端末からの信号に基づいて、前記アレイアンテナの送信の指向性を制御するための送信ウェイトを算出する工程と、
（ｃ）前記送信ウェイト算出部により算出された送信ウェイトと、前記歪み補正値算出部により算出された歪み補正値とから、前記増幅部に入力される送信信号に対する調整値を算出する工程と、
（ｄ）前記調整値に基づいて、前記増幅部に入力される送信信号を調整することによって、前記アレイアンテナの送信の指向性の制御と前記増幅部から出力される信号の歪み補正とを同時に行う工程と
を備える、基地局での送信信号の調整方法。
【発明の詳細な説明】
【技術分野】
【０００１】
本発明は、通信端末と信号の送受信を行う基地局での送信信号の調整技術に関する。
【背景技術】
【０００２】
従来から無線通信に関して様々な技術が提案されている。例えば特許文献１には、アダプティブアレイアンテナ方式で通信を行う通信装置が開示されている。特許文献１の通信装置では、所望の送信指向性を得るために送信信号の振幅及び位相を調整している。また特許文献１の技術では、増幅部で増幅された送信信号の歪みを補正する処理が行われている。
【０００３】
なお非特許文献１には、ＰＨＳ（Personal Handyphone System）についての規格が記載されている。
【先行技術文献】
【特許文献】
【０００４】
【特許文献１】特開２００６−９４０４３号公報
【非特許文献】
【０００５】
【非特許文献１】「第二世代コードレス電話システム  標準規格」、RCR STD-28 5.3版、平成２０年９月２５日、社団法人電波産業会
【発明の概要】
【発明が解決しようとする課題】
【０００６】
上述の特許文献１の技術では、送信指向性の制御と、増幅部で増幅された送信信号の歪みを補正する処理とが別々に行われているため、処理が複雑であるという問題がある。
【０００７】
そこで、本発明は上述の点に鑑みて成されたものであり、アレイアンテナの送信の指向性の制御と、増幅部から出力される送信信号の歪みを補正する処理とを行う際の処理負荷を低減することが可能な技術を提供することを目的とする。
【課題を解決するための手段】
【０００８】
上記課題を解決するため、本発明に係る基地局は、複数のアンテナからなるアレイアンテナを用いて、通信端末と信号の送受信を行なう基地局であって、前記通信端末に送信する送信信号を増幅する増幅部と、前記増幅部から出力された信号に基づいて、前記増幅部で増幅された信号の歪みを補正するための歪み補正値を算出する歪み補正値算出部と、前記複数のアンテナが受信した前記通信端末からの信号に基づいて、前記アレイアンテナの送信の指向性を制御するための送信ウェイトを算出する送信ウェイト算出部と、前記送信ウェイト算出部により算出された送信ウェイトと、前記歪み補正値算出部により算出された歪み補正値とから、前記増幅部に入力される送信信号に対する調整値を算出する調整値算出部と、前記調整値に基づいて、前記増幅部に入力される送信信号を調整することによって、前記アレイアンテナの送信の指向性の制御と前記増幅部から出力される信号の歪み補正とを同時に行う調整部とを備える。
【０００９】
また、本発明に係る基地局の一態様では、前記歪み補正値算出部により算出された歪み補正値を記憶する記憶部が設けられ、前記調整値算出部は、前記送信ウェイトが更新された場合に前記記憶部に記憶された歪み補正値を読み出し、読み出した歪み補正値と、更新された送信ウェイトとから、前記増幅部に入力される送信信号に対する調整値を算出する。
【００１０】
また、本発明に係る基地局の一態様では、前記アレイアンテナで受信される複数の受信信号に対して、前記アレイアンテナの受信の指向性を制御するための受信ウェイトを設定する受信ウェイト処理部と、前記受信ウェイトが設定された前記複数の受信信号を合成して合成受信信号を生成する受信信号合成部と、参照信号と前記合成受信信号との差が最小となる前記受信ウェイトを最適受信ウェイトとして求める最適受信ウェイト算出部と、前記増幅部の前段に設けられ、前記増幅部に入力される送信信号をデジタル形式からアナログ形式に変換するＤ／Ａ変換器と、前記増幅部の出力信号であるフィードバック送信信号をアナログ形式からデジタル形式に変換するＡ／Ｄ変換器と、前記Ａ／Ｄ変換器が前記フィードバック送信信号をサンプリングする際に発生する、前記Ｄ／Ａ変換器に入力される送信信号に対する、前記Ａ／Ｄ変換器から出力される前記フィードバック送信信号の誤差を補正するサンプリング誤差補正部とがさらに設けられ、前記歪み補正値算出部は、前記Ｄ／Ａ変換器に入力される送信信号と、前記サンプリング誤差補正部において前記誤差が補正された前記フィードバック送信信号とに基づいて、前記歪み補正値を算出し、前記サンプリング誤差補正部は、前記Ａ／Ｄ変換器から出力される前記フィードバック送信信号の複数のサンプル値に対して、前記誤差を補正するための補正ウェイトを設定する補正ウェイト処理部と、前記補正ウェイトが設定された前記複数のサンプル値を合成して合成サンプル値を生成するフィードバック信号合成部と、前記Ｄ／Ａ変換器に入力される送信信号のサンプル値と前記合成サンプル値との差が最小となる前記補正ウェイトを最適補正ウェイトとして求める最適補正ウェイト算出部とを有し、前記サンプリング誤差補正部は、前記最適補正ウェイトが設定された前記複数のサンプル値が合成されて得られる前記合成サンプリング値を、前記誤差が補正された前記フィードバック送信信号のサンプル値とし、前記最適受信ウェイト算出部と前記最適遅延補正ウェイト算出部とは、第１入力信号に対する第２入力信号の誤差を示す誤差信号を求める誤差信号取得部を共有しており、前記最適受信ウェイト算出部は、前記誤差信号取得部に対して、前記第１入力信号として参照信号が入力され、かつ前記第２入力信号として前記合成受信信号が入力された際の前記誤差信号に基づいて前記最適受信ウェイトを求め、前記最適補正ウェイト算出部は、前記誤差信号取得部に対して、前記第１入力信号として前記Ｄ／Ａ変換器に入力される送信信号のサンプル値が入力され、前記第２入力信号として前記合成サンプル値が入力された際の前記誤差信号に基づいて前記最適補正ウェイトを求める。
【００１１】
また、本発明に係る基地局の一態様では、前記基地局では、少なくとも１つの送信スロットを含む送信期間と少なくとも１つの受信スロットを含む受信期間とが交互に現れ、前記調整部は、ある送信スロットにおいて前記歪み補正値算出部が前記歪み補正値を新たに求めると、当該ある送信スロットにおいては新たに求められた前記歪み補正値に基づく前記調整値は使用せずに、当該ある送信スロットよりも後の送信スロットにおいて、新たに求められた前記歪み補正値に基づく前記調整値に基づいて、前記増幅部に入力される送信信号を調整する。
【００１２】
また、本発明に係る基地局での送信信号の調整方法は、複数のアンテナからなるアレイアンテナを用いて、通信端末と信号の送受信を行なう基地局での送信信号の調整方法であって、（ａ）前記基地局が有する、前記通信端末に送信する送信信号を増幅する増幅部から出力された信号に基づいて、前記増幅部で増幅された信号の歪みを補正するための歪み補正値を算出する工程と、（ｂ）前記複数のアンテナが受信した前記通信端末からの信号に基づいて、前記アレイアンテナの送信の指向性を制御するための送信ウェイトを算出する工程と、（ｃ）前記送信ウェイト算出部により算出された送信ウェイトと、前記歪み補正値算出部により算出された歪み補正値とから、前記増幅部に入力される送信信号に対する調整値を算出する工程と、（ｄ）前記調整値に基づいて、前記増幅部に入力される送信信号を調整することによって、前記アレイアンテナの送信の指向性の制御と前記増幅部から出力される信号の歪み補正とを同時に行う工程とを備える。
【発明の効果】
【００１３】
本発明によれば、アレイアンテナの送信の指向性の制御と、増幅部から出力される送信信号の歪みを補正する処理とを行う際の処理負荷が低減される。
【図面の簡単な説明】
【００１４】
【図１】本発明の実施の形態に係る基地局の構成を示す図である。
【図２】本発明の実施の形態に係る送受信処理部の構成を示す図である。
【図３】本発明の実施の形態に係る歪み補正値テーブルの一例を示す図である。
【図４】本発明の実施の形態に係る調整値テーブルの一例を示す図である。
【図５】本発明の実施の形態に係るウェイト・補正値取得部の構成を示す図である。
【図６】本発明の実施の形態に係るウェイト合成部の構成を示す図である。
【図７】本発明の実施の形態に係る基地局の動作を示すフローチャートである。
【図８】本発明の実施の形態に係る基地局の動作を示すフローチャートである。
【図９】本発明の実施の形態に係る基地局の動作を示すフローチャートである。
【図１０】本発明の実施の形態に係る基地局の動作を示す図である。
【図１１】本発明の実施の形態に係る基地局の変形例の動作を示す図である。
【発明を実施するための形態】
【００１５】
図１は本発明の実施の形態に係る基地局１００の構成を示す図である。本実施の形態に係る基地局１００は、例えば、上述の非特許文献１に規格が記載されているＰＨＳに準拠した基地局であって、ＴＤＭＡ／ＴＤＤ（Time Division Multiple Access/Time Division Duplexing）方式で複数の通信端末と双方向通信を行う。また、基地局１００は、送受信アンテナとしてアレイアンテナを有し、アダプティブアレイアンテナ方式を用いてアレイアンテナの指向性を希望波に向けることが可能である。
【００１６】
図１に示されるように、本実施の形態に係る基地局１００は、複数のアンテナで構成されたアレイアンテナ２と、複数の送受信処理部３ａ〜３ｄと、ウェイト・補正値算出部４と、送受信処理部３ａ〜３ｄ及びウェイト・補正値算出部４を制御する制御部５と、分岐部６と、受信信号合成部７とを備えている。本実施の形態では、アレイアンテナ２は例えば４つのアンテナ１ａ〜１ｄで構成されている。アンテナ１ａ〜１ｄは送受信処理部３ａ〜３ｄにそれぞれ接続されている。以後、アンテナ１ａ〜１ｄを特に区別する必要がないときには、それぞれを「アンテナ１」と呼ぶことがある。
【００１７】
送受信処理部３ａ〜３ｄのそれぞれは、自装置に接続されたアンテナ１で受信される搬送帯域の受信信号に対して各種処理を行って、当該受信信号をＩＱ平面上での受信複素信号ＲＳに変換して出力する。また送受信処理部３ａ〜３ｄのそれぞれは、取得した受信複素信号ＲＳに対して、アダプティブアレイアンテナ方式の受信ウェイトを設定し、受信ウェイトが設定された受信複素信号ＲＳを調整受信複素信号ＡＲＳとして出力する。さらに送受信処理部３ａ〜３ｄのそれぞれは、分岐部６から入力される後述の送信複素信号ＳＳ２に対して各種処理を行って、送信複素信号ＳＳ２を搬送波帯域の送信信号に変換する。そして、送受信処理部３ａ〜３ｄのそれぞれは、生成した搬送帯域の送信信号を自装置に接続されたアンテナ１に入力する。これにより、アンテナ１からは無線信号が送信される。
【００１８】
以後、送受信処理部３ａ〜３ｄを特に区別する必要がないときには、それぞれを「送受信処理部３」と呼ぶことがある。また、４つの送受信処理部３ａ〜３ｄからそれぞれ出力される４つの受信複素信号ＲＳを、受信複素信号ＲＳａ〜ＲＳｄとそれぞれ呼ぶことがある。そして、４つの送受信処理部３ａ〜３ｄからそれぞれ出力される４つの調整受信複素信号ＡＲＳを、調整受信複素信号ＡＲＳａ〜ＡＲＳｄとそれぞれ呼ぶことがある。
【００１９】
受信信号合成部７は、送受信処理部３ａ〜３ｄから出力される調整受信複素信号ＡＲＳａ〜ＡＲＳｄを合成（加算）し、それによって得られる合成受信複素信号ＣＲＳをウェイト・補正値算出部４及び制御部５に出力する。
【００２０】
制御部５は、送信用のビットデータを生成する。そして、制御部５は、基地局１００が送信に使用する変調方式に基づいて、生成したビットデータを、ＩＱ平面上の送信複素信号ＳＳ１に変換し、当該送信複素信号ＳＳ１を出力する。また制御部５は、通信端末が送信に使用する変調方式に基づいて、受信信号合成部７から出力される合成受信複素信号ＣＲＳをビットデータに変換する。これにより、制御部５では、通信端末から受信した受信信号に含まれる各種情報が取得される。
【００２１】
分岐部６は、制御部５から出力される送信複素信号ＳＳ１を４つに分岐し、それによって得られた４つの送信複素信号ＳＳ２を出力する。この４つの送信複素信号ＳＳ２は、４つの送受信処理部３ａ〜３ｄにそれぞれ入力される。以後、４つの送受信処理部３ａ〜３ｄにそれぞれ入力される４つの送信複素信号ＳＳ２を、送信複素信号ＳＳ２ａ〜ＳＳ２ｄとそれぞれ呼ぶことがある。
【００２２】
ウェイト・補正値算出部４は、受信信号合成部７が出力する合成受信複素信号ＣＲＳと、送受信処理部３ａ〜３ｄが出力する受信複素信号ＲＳａ〜ＲＳｄとに基づいて、アダプティブアレイ方式での受信ウェイトＲＷ及び送信ウェイトＳＷをアンテナ１ごとに求める。そして、ウェイト・補正値算出部４は、取得した受信ウェイトＲＷ及び送信ウェイトＳＷを、それらを適用するアンテナ１に接続された送受信処理部３に出力する。このように、ウェイト・補正値算出部４は、複数のアンテナ１ａ〜１ｄが受信した通信端末からの信号に基づいて、アレイアンテナ２の受信の指向性を制御するための受信ウェイトとアレイアンテナ２の送信の指向性を制御するための送信ウェイトを算出する。以後、アンテナ１ａ〜１ｄに適用される受信ウェイトＲＷを、受信ウェイトＲＷａ〜ＲＷｄとそれぞれ呼ぶことがある。また、アンテナ１ａ〜１ｄに適用される送信ウェイトＳＷを送信ウェイトＳＷａ〜ＳＷｄとそれぞれ呼ぶことがある。
【００２３】
また、ウェイト・補正値算出部４は、各送受信処理部３について、当該送受信処理部３から出力される後述の調整送信複素信号ＡＳＳと、当該送受信処理部３から出力される後述のＦＢ（フィードバック）送信複素信号ＦＳＳとに基づいて、当該送受信処理部３が有する後述の送信用の増幅部３０７から出力される送信信号の歪みを補正するための歪み補正値ＤＣを求める。そして、ウェイト・補正値算出部４は、取得した４つの歪み補正値ＤＣのそれぞれを、対応する送受信処理部３に出力する。
【００２４】
以後、送受信処理部３ａ〜３ｄにそれぞれ対応する４つの歪み補正値ＤＣを、歪み補正値ＤＣａ〜ＤＣｄとそれぞれ呼ぶことがある。また、送受信処理部３ａ〜３ｄからそれぞれ出力される４つの調整送信複素信号ＡＳＳを、調整送信複素信号ＡＳＳａ〜ＡＳＳｄとそれぞれ呼ぶことがある。また、送受信処理部３ａ〜３ｄからそれぞれ出力される４つのＦＢ送信複素信号ＦＳＳを、ＦＢ送信複素信号ＦＳＳａ〜ＦＳＳｄとそれぞれ呼ぶことがある。
【００２５】
図２は各送受信処理部３の構成を示すブロック図である。４つの送受信処理部３は互いに同じ構成となっている。図２に示されるように、送受信処理部３は、遅延部３００と、振幅算出部３０１と、調整値算出部３０２と、送信信号調整部３０３と、変調部３０４と、Ｄ／Ａ変換器３０５と、ミキサ３０６と、増幅部３０７と、分岐カプラ３０８とを備えている。さらに送受信処理部３は、局部発振器３０９と、送受信選択部３１０と、増幅部３１１と、フィードバック選択部３１２と、ミキサ３１３と、Ａ／Ｄ変換器３１４と、復調部３１５と、受信ウェイト処理部３１６と、信号選択部３１７とを備えている。送受信処理部３では、ミキサ３０６、増幅部３０７、分岐カプラ３０８、局部発振器３０９、送受信選択部３１０、増幅部３１１、フィードバック選択部３１２、ミキサ３１３及び当該送受信処理部３に接続されたアンテナ１とで、当該アンテナ１を用いて通信端末と双方向通信を行う通信部３０が構成されている。そして、４つの送受信処理部３の通信部３０によって、アレイアンテナ２を用いて通信端末と双方向通信を行う通信部が構成されている。
【００２６】
遅延部３００は、送受信処理部３に入力される送信複素信号ＳＳ２を遅延して出力する。送信信号調整部３０３は、調整値算出部３０２から出力される後述の調整値αに基づいて、遅延部３００で遅延された送信複素信号ＳＳ２を調整する。送信信号調整部３０３は、送信複素信号ＳＳ２の振幅及び位相を調整する。この調整後の送信複素信号ＳＳ２を「調整送信複素信号ＡＳＳ」と呼ぶ。調整送信複素信号ＡＳＳは、変調部３０４に入力されるとともに、ウェイト・補正値算出部４に入力される。
【００２７】
変調部３０４は、入力される調整送信複素信号ＡＳＳに対して変調処理を行って、当該調整送信複素信号ＡＳＳを基底帯域の送信信号に変換して出力する。
【００２８】
Ｄ／Ａ変換器３０５は、変調部３０４から出力されるデジタル形式の送信信号を、アナログ形式に変換して出力する。ミキサ３０６は、Ｄ／Ａ変換器３０５から出力される送信信号と、局部発振器３０９の出力信号とを乗算し、それによって得られた信号をフィルタリングする。これにより、Ｄ／Ａ変換器３０５から出力される送信信号はアップコンバートされて、搬送帯域の送信信号が得られる。増幅部３０７は、ミキサ３０６から出力される搬送帯域の送信信号を増幅して出力する。以後、増幅部３０７の入力信号及び出力信号を「入力送信信号ＳＳＩ」及び「出力送信信号ＳＳＯ」とそれぞれ呼ぶことがある。
【００２９】
分岐カプラ３０８は、増幅部３０７で増幅された送信信号を２つに分岐して、一方の送信信号を送受信選択部３１０に出力し、他方の送信信号をフィードバック選択部３１２に出力する。
【００３０】
振幅算出部３０１は、送受信処理部３に入力される送信複素信号ＳＳ２の振幅ＡＭを算出する。具体的には、振幅算出部３０１は、複素数で表された送信複素信号ＳＳ２のＩ成分を２乗した値と、当該送信複素信号ＳＳ２のＱ成分を２乗した値とを足し合わせて、それによって得られた値の１／２乗を当該送信複素信号ＳＳ２の振幅ＡＭとする。そして、振幅算出部３０１は、取得した振幅ＡＭを調整値算出部３０２に出力する。
【００３１】
調整値算出部３０２は、記憶部３２０を有しており、この記憶部３２０には、ウェイト・補正値算出部４から送受信処理部３に入力される送信ウェイトＳＷが記憶される。また、記憶部３２０には、ともにルックアップテーブルである歪み補正値テーブル３２０ａ及び調整値テーブル３２０ｂが記憶されている。歪み補正値テーブル３２０ａには、ウェイト・補正値算出部４から送受信処理部３に入力される歪み補正値ＤＣが登録されている。調整値テーブル３２０ｂには、記憶部３２０が記憶する送信ウェイトＳＷに係る情報と、歪み補正値テーブル３２０ａ内の歪み補正値ＤＣに係る情報との両方を含む調整値αが登録されている。言い換えれば、調整値テーブル３２０ｂには、記憶部３２０が記憶する送信ウェイトＳＷと、歪み補正値テーブル３２０ａ内の歪み補正値ＤＣとに基づく調整値αが登録されている。歪み補正値ＤＣ及び調整値αのそれぞれは複素数で表されている。
【００３２】
図３は歪み補正値テーブル３２０ａの一例を示す図である。図３に示されるように、歪み補正値テーブル３２０ａでは、送信複素信号ＳＳ２の振幅ＡＭと歪み補正値ＤＣとが一対一で対応付けられている。
【００３３】
ここで、送信用の増幅部３０７では、入力送信信号ＳＳＩの振幅が所定値ＡＭ１以上となると、出力送信信号ＳＳＯの振幅及び位相が本来の値からずれるようになり、出力送信信号ＳＳＯに歪みが生じるようになる。そして、入力送信信号ＳＳＩの振幅が所定値ＡＭ１以上においては、増幅部３０７の出力送信信号ＳＳＯの歪みの度合いは、入力送信信号ＳＳＩの振幅の大きさによって変化する。具体的には、入力送信信号ＳＳＩの振幅が大きくなるについて、出力送信信号ＳＳＯの歪みは大きくなり、出力送信信号ＳＳＯの振幅及び位相のずれは大きくなる。
【００３４】
また、送信複素信号ＳＳ２の振幅ＡＭ及び位相は、増幅部３０７の入力送信信号ＳＳＩの振幅及び位相をそれぞれ表している。したがって、送信複素信号ＳＳ２の振幅ＡＭ及び位相を調整することによって、入力送信信号ＳＳＩの振幅及び位相を調整することができる。歪み補正値テーブル３２０ａでは、送信複素信号ＳＳ２の振幅ＡＭと、当該振幅ＡＭと同じ振幅を有する入力送信信号ＳＳＩが増幅部３０７に入力された際の出力送信信号ＳＳＯの歪みを補正するための歪み補正値ＤＣとが対応付けられて登録されている。したがって、送信複素信号ＳＳ２の振幅ＡＭ及び位相を、当該送信複素信号ＳＳ２の振幅ＡＭに対応付けられている歪み補正値ＤＣに基づいて調整することによって、増幅部３０７からの出力送信信号ＳＳＯの歪みを抑制することができる。具体的には、送信複素信号ＳＳ２に対して、その振幅ＡＭに対応付けられた歪み補正値ＤＣを複素乗算することによって、増幅部３０７からの出力送信信号ＳＳＯの歪みを抑制することができる。このようなデジタル処理での歪み補正処理は、ＤＰＤ（Digital Pre-Distortion）と呼ばれている。
【００３５】
なお図３では、送信複素信号ＳＳ２の振幅ＡＭの値はＡＭ１〜ＡＭ３の順で大きくなっている。また、ＡＭ１未満の振幅ＡＭに対応付けられている歪み補正値ＤＣ０は、“１＋ｊ０”、つまりＤＣ０＝１である。したがって、送信複素信号ＳＳ２に歪み補正値ＤＣ０を乗算した場合には、送信複素信号ＳＳ２の振幅ＡＭ及び位相は変化しない。
【００３６】
図４は、調整値テーブル３２０ｂの一例を示す図である。図４に示されるように、調整値テーブル３２０ｂでは、送信複素信号ＳＳ２の振幅ＡＭと調整値αとが一対一で対応付けられて登録されている。送信複素信号ＳＳ２の振幅ＡＭに対応付けられた調整値αは、歪み補正値テーブル３２０ａにおいて当該振幅ＡＭと対応付けられている歪み補正値ＤＣと、ウェイト・補正値算出部４から送受信処理部３に入力された送信ウェイトＳＷとを複素乗算したものである。つまり、送信複素信号ＳＳ２の振幅ＡＭに対応付けられた調整値αには、歪み補正値テーブル３２０ａにおいて当該振幅ＡＭと対応付けられている歪み補正値ＤＣに係る情報と、送受信処理部３に入力された送信ウェイトＳＷに係る情報とが含まれている。したがって、送信複素信号ＳＳ２の振幅ＡＭ及び位相を、当該振幅ＡＭに対応付けられた調整値αに基づいて調整することによって、アレイアンテナ２の指向性の制御と出力送信信号ＳＳＯの歪みを補正する処理とを同時に行うことができる。
【００３７】
調整値算出部３０２は、振幅算出部３０１から送信複素信号ＳＳ２の振幅ＡＭを受け取ると、調整値テーブル３２０ｂを参照して、当該振幅ＡＭに対応する調整値αを取得して送信信号調整部３０３に出力する。送信信号調整部３０３は、調整値算出部３０２から調整値αを受け取ると、当該調整値αと、遅延部３００から入力される送信複素信号ＳＳ２とを複素乗算することによって、当該送信複素信号ＳＳ２の振幅及び位相を調整する。ここで、遅延部３００での送信複素信号ＳＳ２に対する遅延量は、振幅算出部３０１に当該送信複素信号ＳＳ２が入力されてから、当該送信複素信号ＳＳ２の振幅ＡＭに対応する調整値αが調整値算出部３０２から出力されるまでの時間と一致するように設定されている。したがって、送信信号調整部３０３では、入力される送信複素信号ＳＳ２の振幅ＡＭ及び位相が、当該振幅ＡＭに対応付けられた調整値αに基づいて調整される。よって、アレイアンテナ２の指向性の制御と出力送信信号ＳＳＯの歪みを補正する処理とが同時に行われる。
【００３８】
また、調整値算出部３０２は、新たな送信ウェイトＳＷが送受信処理部３に入力されると、記憶部３２０が記憶している送信ウェイトＳＷを当該新たな送信ウェイトＳＷで書き換える。これにより、記憶部３２０内の送信ウェイトＳＷが更新される。そして、調整値算出部３０２は、歪み補正値テーブル３２０ａに登録されている各歪み補正値ＤＣを記憶部３２０から読み出し、読み出した各歪み補正値ＤＣに対して、入力された新たな送信ウェイトＳＷを複素乗算して新たな調整値αを生成する。その後、調整値算出部３０２は、調整値テーブル３２０ｂに登録されている各調整値αを、新たに取得した調整値αで書き換える。これにより、新たな送信ウェイトＳＷが求められるたびに、つまり送信ウェイトＳＷが更新されるたびに、調整値テーブル３２０ｂが更新される。
【００３９】
また、調整値算出部３０２は、ウェイト・補正値算出部４において送信複素信号ＳＳ２の各振幅ＡＭに対応する歪み補正値ＤＣが新たに取得され、当該歪み補正値ＤＣが送受信処理部３に入力されると、歪み補正値テーブル３２０ａに登録されている各歪み補正値ＤＣを、新たな歪み補正値ＤＣで書き換える。これにより、歪み補正値テーブル３２０ａが更新される。そして、調整値算出部３０２は、現在記憶部３２０が記憶している送信ウェイトＳＷを、更新後の歪み補正値テーブル３２０ａに登録されている各歪み補正値ＤＣに複素乗算して新たな調整値αを取得する。その後、調整値算出部３０２は、調整値テーブル３２０ｂに登録されている各調整値αを、新たに取得した調整値αで書き換える。これにより、送信複素信号ＳＳ２の各振幅ＡＭに対応した歪み補正値ＤＣが新たに求められるたびに、つまり各振幅ＡＭに対応した歪み補正値ＤＣが更新されるたびに、調整値テーブル３２０ｂが更新される。
【００４０】
図２に戻って、送受信選択部３１０は、分岐カプラ３０８から出力される送信信号をアンテナ１から送信するのか、アンテナ１で受信された受信信号を増幅部３１１に入力するのかを選択する。送受信選択部３１０での選択動作は、制御部５によって制御される。
【００４１】
増幅部３１１は、入力される受信信号を増幅して出力する。フィードバック選択部３１２は、分岐カプラ３０８から出力される送信信号を出力するのか、増幅部３１１から出力される受信信号を出力するのかを選択する。フィードバック選択部３１２での選択動作は、制御部５によって制御される。
【００４２】
ミキサ３１３は、フィードバック選択部３１２の出力信号と、局部発振器３０９の出力信号とを乗算し、それによって得られた信号をフィルタリングする。これにより、フィードバック選択部３１２の出力信号がダウンコンバートされてミキサ３１３から出力される。
【００４３】
Ａ／Ｄ変換器３１４は、ミキサ３１３から出力されるアナログ形式の信号をデジタル形式に変換して出力する。フィードバック選択部３１２が、分岐カプラ３０８からの送信信号を出力する場合には、Ａ／Ｄ変換器３１４には、通信部３０からフィードバックされた増幅部３０７の出力信号がダウンコンバートされて入力されるようになる。
【００４４】
復調部３１５は、Ａ／Ｄ変換器３１４の出力信号に対して復調処理を行う。復調部３１５では、フィードバック選択部３１２が分岐カプラ３０８からの出力信号を出力する際には、つまり通信部３０からフィードバックされた増幅部３０７の出力信号が復調部３１５に入力される際には、通信部３０からフィードバックされてきた調整送信複素信号ＡＳＳが取得されて出力される。一方で、フィードバック選択部３１２が増幅部３１１からの受信信号を出力する際には、当該受信信号がＩ／Ｑ平面上の受信複素信号ＲＳに変換されて出力される。この受信複素信号ＲＳは、受信ウェイト処理部３１６及びウェイト・補正値算出部４に入力される。
【００４５】
受信ウェイト処理部３１６は、復調部３１５から出力される信号に対して、ウェイト・補正値算出部４から送受信処理部３に入力される受信ウェイトＲＷを複素乗算し、それによって得られた信号を出力する。
【００４６】
信号選択部３１７は、復調部３１５が通信部３０からフィードバックされてきた調整送信複素信号ＡＳＳを出力する際には、当該調整送信複素信号ＡＳＳをＦＢ送信複素信号ＦＳＳとしてウェイト・補正値算出部４に出力する。一方で、信号選択部３１７は、復調部３１５が受信複素信号ＲＳを出力する際には、受信ウェイト処理部３１６の出力信号、つまり受信ウェイトＲＷが複素乗算された当該受信複素信号ＲＳを調整受信複素信号ＡＲＳとして受信信号合成部７に出力する。受信信号合成部７では、送受信処理部３ａ〜３ｄから出力される４つの調整受信複素信号ＡＲＳが合成されて、合成受信複素信号ＣＲＳが生成される。
【００４７】
次にウェイト・補正値算出部４の構成について詳細に説明する。図５はウェイト・補正値算出部４の構成を示す図である。図５に示されるように、ウェイト・補正値算出部４は、送信信号選択部４０と、遅延部４１と、第１入力選択部４２と、第２入力選択部４３とを備えている。さらにウェイト・補正値算出部４は、ＦＢ信号選択部４４と、最適受信ウェイト算出部４５と、サンプリング誤差補正部４６と、送信ウェイト取得部４７と、歪み補正値算出部４８と、出力選択部４９とを備えている。ウェイト・補正値算出部４には、受信ウェイトＲＷを求めるための参照信号ＲＥＦと、送信ウェイトＳＷを求めるためのキャリブレーション情報ＣＢとが記憶されている。参照信号ＲＥＦは、基地局１００で受信される既知信号についての理想的な状態を示している。
【００４８】
送信信号選択部４０は、送受信処理部３ａ〜３ｄから出力される調整送信複素信号ＡＳＳａ〜ＡＳＳｄのいずれか一つの調整送信複素信号ＡＳＳを選択して出力する。遅延部４１は、送信信号選択部４０から出力される調整送信複素信号ＡＳＳを遅延して出力する。第１入力選択部４２は、遅延部４１から出力される調整送信複素信号ＡＳＳと参照信号ＲＥＦのどちらか一方を選択して出力する。第２入力選択部４３は、受信信号合成部７から出力される合成受信複素信号ＣＲＳと、サンプリング誤差補正部４６から出力される後述の合成ＦＢ（フィードバック）送信複素信号ＣＦＳＳのどちらか一方を選択して出力する。第２入力選択部４３は、第１入力選択部４２が調整送信複素信号ＡＳＳを出力する際には合成ＦＢ送信複素信号ＣＦＳＳを出力し、第１入力選択部４２が参照信号ＲＥＦを出力する際には合成受信複素信号ＣＲＳを出力する。
【００４９】
ＦＢ信号選択部４４は、送受信処理部３ａ〜３ｄから出力されるＦＢ送信複素信号ＦＳＳａ〜ＦＳＳｄのいずれか一つのＦＢ送信複素信号ＦＳＳを選択して出力する。ＦＢ信号選択部４４では、送信信号選択部４０が選択する調整送信複素信号ＡＳＳを出力する送受信処理部３から出力されるＦＢ送信複素信号ＦＳＳが選択される。つまり、送信信号選択部４０及びＦＢ信号選択部４４からは、同一の送受信処理部３から出力される調整送信複素信号ＡＳＳ及びＦＢ送信複素信号ＦＳＳがそれぞれ出力される。
【００５０】
最適受信ウェイト算出部４５は、誤差信号取得部４７０及び受信ウェイト更新部４５０を備えている。最適受信ウェイト算出部４５は、第１入力選択部４２から出力される参照信号ＲＥＦと、第２入力選択部４３から出力される合成受信複素信号ＣＲＳとの差が最小となる４つの受信ウェイトＲＷａ〜ＲＷｄを求める。この４つの受信ウェイトＲＷａ〜ＲＷｄを、最適受信ウェイトＲＷａ〜ＲＷｄとそれぞれ呼ぶことがある。最適受信ウェイト算出部４５は、例えばＭＭＳＥ（最小二乗誤差法）を用いて最適受信ウェイトＲＷａ〜ＲＷｄを求める。
【００５１】
サンプリング誤差補正部４６は、最適補正ウェイト算出部４６０及びウェイト合成部４６２を備えている。サンプリング誤差補正部４６は、Ａ／Ｄ変換器３１４が、通信部３０からフィードバックされる増幅部３０７の出力信号をサンプリングする際に発生する、調整送信複素信号ＡＳＳに対するＦＢ送信複素信号ＦＳＳの誤差を補正する。上述のように、ＦＢ送信複素信号ＦＳＳは、通信部３０からフィードバックされた調整送信複素信号ＡＳＳであることから、理想的には、ＦＢ送信複素信号ＦＳＳは、送信信号調整部３０３から出力される調整送信複素信号ＡＳＳに一致する。しかしながら、Ａ／Ｄ変換器３１４でのサンプリングタイミングには多少のずれがあることから、調整送信複素信号ＡＳＳのサンプル値（デジタル値）と、当該サンプル値に対応するＦＢ送信複素信号ＦＳＳのサンプル値とが、互いに異なることがある。そこで、サンプリング誤差補正部４６では、Ａ／Ｄ変換器３１４がその入力信号をサンプリングする際に発生する、調整送信複素信号ＡＳＳに対するＦＢ送信複素信号ＦＳＳの誤差を補正する。以後、この誤差を「サンプリング誤差」と呼ぶことがある。
【００５２】
最適補正ウェイト算出部４６０は、最適受信ウェイト算出部４５が有する誤差信号取得部４７０と、補正ウェイト更新部４６１とで構成されている。つまり、最適補正ウェイト算出部４６０と最適受信ウェイト算出部４５は、誤差信号取得部４７０を共有している。
【００５３】
誤差信号取得部４７０は、第１入力信号ＩＮ１に対する第２入力信号ＩＮ２の誤差を示す誤差信号ＥＳを求めて出力する。第１入力信号ＩＮ１は、第１入力選択部４２の出力信号であって、第２入力信号ＩＮ２は第２入力選択部４３の出力信号である。
【００５４】
ここで、本実施の形態では、上述のように、第２入力選択部４３は、第１入力選択部４２が調整送信複素信号ＡＳＳを出力する際には合成ＦＢ送信複素信号ＣＦＳＳを出力し、第１入力選択部４２が参照信号ＲＥＦを出力する際には合成受信複素信号ＣＲＳを出力する。したがって、誤差信号取得部４７０では、第１入力信号ＩＮ１として調整送信複素信号ＡＳＳが入力され、第２入力信号ＩＮ２として合成ＦＢ送信複素信号ＣＦＳＳが入力される場合には、各サンプル値について、調整送信複素信号ＡＳＳに対する合成ＦＢ送信複素信号ＣＦＳＳの誤差を示す誤差信号ＥＳが求められる。以後、当該誤差信号ＥＳを「第１誤差信号ＥＳ」と呼ぶことがある。また誤差信号取得部４７０では、第１入力信号ＩＮ１として参照信号ＲＥＦが入力され、第２入力信号ＩＮ２として合成受信複素信号ＣＲＳが入力される場合には、参照信号ＲＥＦに対する合成受信複素信号ＣＲＳの誤差を示す誤差信号ＥＳが求められる。以後、当該誤差新号ＥＳを「第２誤差信号ＥＳ」と呼ぶことがある。第１誤差信号ＥＳはサンプリング誤差補正部４６で使用され、第２誤差信号ＥＳは最適受信ウェイト算出部４５で使用される。
【００５５】
最適受信ウェイト算出部４５では、受信ウェイト更新部４５０が、送受信処理部３ａ〜３ｄから出力される受信複素信号ＲＳａ〜ＲＳｄと第２誤差信号ＥＳとを使用して、例えばＬＭＳ（Least Mean Square）アルゴリズムやＲＬＳ（Recursive Least-Squares）アルゴリズムに基づいて受信ウェイトＲＷａ〜ＲＷｄを更新する。そして、受信ウェイト更新部４５０は、第２誤差信号ＥＳが最小となる受信ウェイトＲＷａ〜ＲＷｄ、つまり最適受信ウェイトＲＷａ〜ＲＷｄを求める。このようにして求められた最適受信ウェイトＲＷａ〜ＲＷｄは、送受信処理部３ａ〜３ｄの受信ウェイト処理部３１６において複数の受信複素信号ＲＳに設定される。そして、受信信号合成部７において、最適受信ウェイトＲＷａ〜ＲＷｄが設定された複数の受信複素信号ＲＳが合成されることによって、干渉波成分が除去された受信複素信号である合成受信複素信号ＣＲＳを得ることができる。したがって、制御部５は、この合成受信複素信号ＣＲＳからビットデータを正確に取得することができる。
【００５６】
図６はサンプリング誤差補正部４６のウェイト合成部４６２の構成を示す図である。図６に示されるように、ウェイト合成部４６２は、直列接続された（Ｊ−１）個（Ｊは２以上の整数）の遅延部４８０−１〜４８０−（Ｊ−１）と、Ｊ個の複素乗算部４８１−１〜４８１−Ｊを有する補正ウェイト処理部４８２と、フィードバック信号合成部４８３とを備えている。
【００５７】
（Ｊ−１）個の遅延部４８０−１〜４８０−（Ｊ−１）のうちの初段の遅延部４８０−１には、ＦＢ信号選択部４４が出力するＦＢ送信複素信号ＦＳＳの各サンプル値（各デジタル値）が順に入力される。そして、（Ｊ−１）個の遅延部４８０−１〜４８０−（Ｊ−１）のそれぞれは、送受信処理部３がＦＢ送信複素信号ＦＳＳのサンプル値を出力する間隔だけ入力信号を遅延して出力する。したがって、初段の遅延部４８０−１に入力されるＦＢ送信複素信号ＦＳＳのサンプル値をＦＳＳ−ｉとし、それよりもｊ個（ｊは１以上の整数）前のＦＢ送信複素信号ＦＳＳのサンプル値をＦＳＳ−（ｉ−ｊ）とすると、（Ｊ−１）個の遅延部４８０−１〜４８０−（Ｊ−１）からは、（Ｊ−１）個のサンプル値ＦＳＳ−（ｉ−１）〜ＦＳＳ−（ｉ−（Ｊ−１））がそれぞれ出力される。
【００５８】
補正ウェイト処理部４８２のＪ個の複素乗算部４８１−１〜４８１−Ｊには、Ｊ個のサンプル値ＦＳＳ−ｉ〜ＦＳＳ−（ｉ−（Ｊ−１））がそれぞれ入力される。また、Ｊ個の複素乗算部４８１−１〜４８１−Ｊには、サンプリング誤差を補正するためのＪ個の補正ウェイトＣＷ−１〜ＣＷ−Ｊがそれぞ入力される。そして、Ｊ個の複素乗算部４８１−１〜４８１−Ｊのそれぞれは、２つの入力を複素乗算して出力する。これにより、補正ウェイト処理部４８２では、Ｊ個の補正ウェイトＣＷ−１〜ＣＷ−Ｊが、時系列に並ぶＪ個のサンプル値ＦＳＳ−ｉ〜ＦＳＳ−（ｉ−（Ｊ−１））にそれぞれ設定される。
【００５９】
フィードバック信号合成部４８３は、Ｊ個の複素乗算部４８１−１〜４８１−Ｊの出力信号を合成（加算）し、それによって得られた合成信号を、合成ＦＢ（フィードバック）送信複素信号ＣＦＳＳとして出力する。これより、フィードバック信号合成部４８３では、補正ウェイトＣＷ−１〜ＣＷ−Ｊがそれぞれ設定されたＪ個のサンプル値ＦＳＳ−ｉ〜ＦＳＳ−（ｉ−（Ｊ−１））が合成された合成サンプル値が、ＦＢ送信複素信号ＦＳＳのサンプル値ＦＳＳ−ｉに対応する、合成ＦＢ送信複素信号ＣＦＳＳのサンプル値ＣＦＳＳ−ｉとして得られる。ウェイト合成部４６２では、ＦＢ信号選択部４４からＦＢ送信複素信号ＦＳＳのサンプル値が入力されるたびに、それに対応する合成ＦＢ送信複素信号ＣＦＳＳのサンプル値が求められて出力される。
【００６０】
最適補正ウェイト算出部４６０では、補正ウェイト更新部４６１が、ＦＢ信号選択部４４から出力されるＦＢ送信複素信号ＦＳＳと第１誤差信号ＥＳとを使用して、例えばＬＭＳ（Least Mean Square）アルゴリズムやＲＬＳ（Recursive Least-Squares）アルゴリズムに基づいて、ウェイト合成部４６２で使用される補正ウェイトＣＷ−１〜ＣＷ−Ｊを更新する。そして、補正ウェイト更新部４６１は、第１誤差信号ＥＳが最小となる補正ウェイトＣＷ−１〜ＣＷ−Ｊを求める。つまり、補正ウェイト更新部４６１は、調整送信複素信号ＡＳＳのサンプル値に対する合成ＦＢ送信複素信号ＣＦＳＳのサンプル値の誤差が最小となる補正ウェイトＣＷ−１〜ＣＷ−Ｊを求める。以後、第１誤差信号ＥＳが最小となる補正ウェイトＣＷ−１〜ＣＷ−Ｊを、最適補正ウェイトＣＷ−１〜ＣＷ−Ｊとそれぞれ呼ぶことがある。
【００６１】
サンプリング誤差補正部４６は、最適補正ウェイトＣＷ−１〜ＣＷ−Ｊが設定されたサンプル値ＦＳＳ−ｉ〜ＦＳＳ−（ｉ−（Ｊ−１））が合成されて得られる、合成ＦＢ送信複素信号ＣＦＳＳのサンプル値ＣＦＳＳ−ｉを、サンプリング誤差が補正されたＦＢ送信複素信号ＦＳＳのサンプル値ＦＳＳ−ｉとして歪み補正値算出部４８に出力する。このようにして、歪み補正値算出部４８には、サンプリング誤差が補正されたＦＢ送信複素信号ＦＳＳが入力される。
【００６２】
なお、遅延部４１での遅延量は、調整送信複素信号ＡＳＳが送信信号調整部３０３から出力されてから、当該調整送信複素信号ＳＳ２が通信部３０からフィードバックされて信号選択部３１７からＦＢ送信複素信号ＦＳＳとして出力されるまでに必要な時間に設定される。したがって、調整送信複素信号ＡＳＳに対するＦＢ送信複素信号ＦＳＳの遅延は遅延部４１において補正される。
【００６３】
歪み補正値算出部４８は、第１入力選択部４２が出力する調整送信複素信号ＡＳＳと、サンプリング誤差補正部４６が出力する、サンプリング誤差が補正されたＦＢ送信複素信号ＦＳＳとを比較することにより、当該調整送信複素信号ＡＳＳ及び当該ＦＢ送信複素信号ＦＳＳに対応する送受信処理部３の増幅部３０７から出力される出力送信信号ＳＳＯの歪みを補正するための歪み補正値ＤＣを新たに求める。歪み補正値ＤＣが適切な値であれば、調整送信複素信号ＡＳＳと、サンプリング誤差が補正されたＦＢ送信複素信号ＦＳＳとは同一となるが、増幅部３０７の特性の温度変化や経年変化によって現在の歪み補正値ＤＣが適切な値でない場合には、送信複素信号ＳＳ２の振幅ＡＭが大きいと、調整送信複素信号ＡＳＳと、サンプリング誤差が補正されたＦＢ送信複素信号ＦＳＳとの間に相違が生じる。歪み補正値算出部４８は、この相違に基づいて新たな歪み補正値ＤＣを求める。歪み補正値算出部４８には、振幅算出部３０１で求められる送信複素信号ＳＳ２の振幅ＡＭも入力されており、歪み補正値算出部４８は送信複素信号ＳＳ２の各振幅ＡＭについて歪み補正値ＤＣを求める。
【００６４】
このように、本実施の形態に係る基地局１００では、歪み補正値ＤＣを自動的に求めることができることから、増幅部３０７の出力送信信号ＳＳＯの歪みを適応的に補正することができる。
【００６５】
出力選択部４９は、歪み補正値算出部４８で求められた歪み補正値ＤＣの出力先として、送受信処理部３ａ〜３ｄのうちのいずれか一つの送受信処理部３を選択し、選択した送受信処理部３に当該歪み補正値ＤＣを出力する。具体的には、出力選択部４９は、送信信号選択部４０が選択している調整送信複素信号ＡＳＳを出力する送受信処理部３、言い換えれば、ＦＢ信号選択部４４が選択しているＦＢ送信複素信号ＦＳＳを出力する送受信処理部３を歪み補正値ＤＣの出力先として選択する。
【００６６】
送信ウェイト取得部４７は、最適受信ウェイト算出部４５で取得された最適受信ウェイトＲＷａ〜ＲＷｄをキャリブレーション情報ＣＢに基づいて補正することによって、送信ウェイトＲＷａ〜ＲＷｄを求める。キャリブレーション情報ＣＢは、送受信処理部３での送信系回路と受信系回路の特性の相違に基づいて生成される情報である。最適受信ウェイトＲＷをそのまま送信ウェイトＳＷとして使用することも可能であるが、送受信処理部３では送信系回路と受信系回路の特性に相違（例えば、増幅部３０７，３１２の特性の相違）があるため、キャリブレーション情報ＣＢを使用して、その相違を吸収するように最適受信ウェイトＲＷを補正することによって、最適な送信ウェイトＳＷを得ることができる。送信ウェイト取得部４７は、求めた送信ウェイトＳＷａ〜ＳＷｄを送受信処理部３ａ〜３ｄにそれぞれ出力する。
【００６７】
送信信号選択部４０、第１入力選択部４２、第２入力選択部４３、ＦＢ信号選択部４４及び出力選択部４９のそれぞれでの選択動作は制御部５で制御される。ウェイト・補正値算出部４が備える各構成要素については、ハードウェアだけで構成しても良いし、ＣＰＵ（Central Processing Unit）やＤＳＰ（Digital Signal Processor）がプログラムを実行することによって実現される機能ブロックで構成しても良い。したがって、誤差信号取得部４７０がハードウェアだけで実現される場合には、そのハードウェアが最適受信ウェイト算出部４５と最適補正ウェイト算出部４６０とで共有されることになる。また、誤差信号取得部４７０がＤＳＰ等がプログラムを実行することによって機能ブロックとして実現される場合には、当該プログラムが最適受信ウェイト算出部４５と最適補正ウェイト算出部４６０とで共有されることになる。
【００６８】
以上のような構成を有する基地局１００では、第１送信スロット〜第４送信スロットの４つの送信スロットで構成された送信期間と、第１受信スロット〜第４受信スロットの４つの受信スロットで構成された受信期間とが交互に現れるＴＤＭＡ／ＴＤＤ方式で多重通信が行われる。１つの送信期間と１つの受信期間とで１つのフレームが構成されている。１つのフレームのフレーム長は５ｍｓ、１つの送信期間及び１つの受信期間のそれぞれの長さは２．５ｍｓ、１つのスロットの長さは６２５μｓである。
【００６９】
本実施の形態に係る基地局１００では、同一の通信端末との通信には、送信期間及び受信期間において同じ位置にあるスロットが使用される。例えば、ある通信端末との通信には、第２送信スロット及び第２受信スロットが使用され、別の通信端末との通信には、第３送信スロット及び第３受信スロットが使用される。
【００７０】
ウェイト・補正値算出部４では、制御部５による制御によって、受信スロットごとに、最適受信ウェイトＲＷ及び送信ウェイトＳＷが求められる。そして、ウェイト・補正値算出部４で求められた送信ウェイトＳＷは、送信期間において、それが求められた受信スロットと同じ位置にある送信スロットで使用される。
【００７１】
このように、基地局１００では、第１送信スロット〜第４送信スロットのそれぞれにおいて固有の送信ウェイトＳＷが使用されることから、上述の調整値テーブル３２０ｂは、第１送信スロット〜第４送信スロットのそれぞれに対応して用意される。つまり、第１送信スロットでの送信複素信号ＳＳ２に複素乗算される調整値αが登録された調整値テーブル３２０ｂと、第２送信スロットでの送信複素信号ＳＳ２に複素乗算される調整値αが登録された調整値テーブル３２０ｂと、第３送信スロットでの送信複素信号ＳＳ２に複素乗算される調整値αが登録された調整値テーブル３２０ｂと、第４送信スロットでの送信複素信号ＳＳ２に複素乗算される調整値αが登録された調整値テーブル３２０ｂとが調整値算出部３０２の記憶部３２０に記憶される。そして、調整値算出部３０２は、４つの調整値テーブル３２０ａのうち、現在の送信スロットに応じた調整値テーブル３２０ａを使用して送信複素信号ＳＳ２を調整する。
【００７２】
一方で、送信期間に求められる歪み補正値ＤＣについては、増幅部３０７の特性は温度に応じて変化したり経年変化するものの、短い期間内ではほとんど変化しないことから、送信スロットごとには求める必要はない。本実施の形態に係る基地局１００では、増幅部３０７の特性が温度に応じて変化することを考慮して、基地局１００の温度の変化量が一定量よりも大きくなった場合に、歪み補正値ＤＣが新たに求められて、歪み補正値テーブル３２０ａ及び４つの調整値テーブル３２０ｂが更新される。さらに、本実施の形態に係る基地局１００では、増幅部３０７の特性が経年変化することを考慮して、所定時間ごとに歪み補正値ＤＣが新たに求められて、歪み補正値テーブル３２０ａ及び４つの調整値テーブル３２０ｂが更新される。なお、基地局１００の温度については、基地局１００に温度センサを設けることによって求めることができる。
【００７３】
＜基地局の送受信動作＞
本実施の形態に係る基地局１００では、通信端末からの信号を受信する受信モードと、歪み補正値ＤＣを求めることなしに通信端末に対して信号を送信する第１送信モードと、歪み補正値ＤＣを求めながら通信端末に対して信号を送信する第２送信モードとの３つの動作モードが存在する。以下に各動作モードでの基地局１００の動作について説明する。
【００７４】
図７は受信モードでの基地局１００の動作を示すフローチャートである。基地局１００では、受信期間になると、ステップｓ１において、制御部５が、各送受信処理部３の送受信選択部３１０、フィードバック選択部３１２及び信号選択部３１７と、ウェイト・補正値算出部４の第１入力選択部４２及び第２入力選択部４３とのそれぞれの設定を受信モード用の設定にする。これにより、各送受信処理部３では、送受信選択部３１０がアンテナ１で受信された受信信号を増幅部３１１に出力し、フィードバック選択部３１２が増幅部３１１から出力される受信信号をミキサ３１３に出力し、信号選択部３１７が受信ウェイト処理部３１６の出力信号を出力するようになる。その結果、各送受信処理部３からは調整受信複素信号ＡＲＳが出力され、受信信号合成部７からは、これらの調整受信複素信号ＡＲＳが合成された合成受信複素信号ＣＲＳが出力される。また、第１入力選択部４２が参照信号ＲＥＦを出力し、第２入力選択部４３が合成受信複素信号ＣＲＳを出力するようになる。その結果、最適受信ウェイト算出部４５には参照信号ＲＥＦと合成受信複素信号ＣＲＳとが入力される。
【００７５】
次にステップｓ２において、最適受信ウェイト算出部４５は、参照信号ＲＥＦと、合成受信複素信号ＣＲＳとに基づいて、現在の受信スロットでの最適受信ウェイトＲＷａ〜ＲＷｄを求める。ステップｓ２で求められた最適受信ウェイトＲＷａ〜ＲＷｄは、送受信処理部３ａ〜３ｄの復調部３１５が出力する受信複素信号ＲＳにそれぞれ設定される。最適受信ウェイトＲＷａ〜ＲＷｄが設定された受信複素信号ＲＳは受信信号合成部７で合成され、それによって得られた合成受信複素信号ＣＲＳは制御部５でビットデータに変換される。
【００７６】
次にステップｓ３において、送信ウェイト取得部４７は、最適受信ウェイト算出部４５で求められた最適受信ウェイトＲＷａ〜ＲＷｄをキャリブレーション情報ＣＢで補正して、現在の受信スロットに対応する送信スロットでの送信ウェイトＳＷａ〜ＳＷｄを取得する。ステップｓ３では、例えば、現在の受信スロットが第３受信スロットであれば、第３送信スロットでの送信ウェイトＳＷａ〜ＳＷｄが取得される。
【００７７】
次にステップｓ４において、各送受信処理部３では、調整値算出部３０２が、ステップｓ３で新たに取得された、当該送受信処理部３に対応する送信ウェイトＳＷを記憶する。そして、調整値算出部３０２は、新たに記憶した送信ウェイトＳＷと歪み補正値テーブル３２０ａとを用いて、現在の受信スロットに対応する送信スロット用の調整値テーブル３２０ｂを更新する。
【００７８】
基地局１００では、以上の処理が、受信期間の第１受信スロット〜第４受信スロットのそれぞれにおいて行われる。
【００７９】
図８は第１送信モードでの基地局１００の動作を示すフローチャートである。基地局１００では、送信期間になると、ステップｓ１１において、制御部５が、各送受信処理部３の送受信選択部３１０の設定を第１送信モード用の設定にする。これにより、各送受信処理部３では、送受信選択部３１０が、分岐カプラ３０８が出力する送信信号をアンテナ１に出力できるようになる。
【００８０】
ここで、第１送信モードの基地局１００では、ウェイト・補正値算出部４は動作しない。つまり、ウェイト・補正値算出部４では、最適受信ウェイトＲＷ、送信ウェイトＳＷ及び歪み補正値ＤＣは求められない。したがって、各送受信処理部３のフィードバック選択部３１２及び信号選択部３１７はどのような状態であっても良い。
【００８１】
次にステップｓ１２において、制御部５が送信複素信号ＳＳ１を生成すると、ステップｓ１３において、各送受信処理部３では、調整値算出部３０２が、振幅算出部３０１から出力される送信複素信号ＳＳ２の振幅ＡＭに対応する調整値αを、現在の送信スロット用の調整値テーブル３２０ｂから取得して送信信号調整部３０３に出力する。
【００８２】
次にステップｓ１４において、各送受信処理部３では、送信信号調整部３０３が、遅延部３００から出力される送信複素信号ＳＳ２と、入力された調整値αとを複素乗算して、当該送信複素信号ＳＳ２の振幅ＡＭ及び位相を調整する。これにより、アレイアンテナ２の指向性の制御と出力送信信号ＳＳＯの歪みを補正する処理とが同時に行われる。その後、ステップｓ１５において、アレイアンテナ２の各アンテナ１から送信信号が送信される。
【００８３】
基地局１００では、以上の処理が送信期間の第１送信スロット〜第４送信スロットのそれぞれで行われる。
【００８４】
図９は第２送信モードでの基地局１００の動作を示すフローチャートである。基地局１００では、基地局１００の温度の変化量が一定量よりも大きくなったり、前回の歪み補正値テーブル３２０ａの更新から所定時間が経過すると、送信期間において、制御部５が、各送受信処理部３の送受信選択部３１０、フィードバック選択部３１２及び信号選択部３１７と、ウェイト・補正値算出部４の第１入力選択部４２及び第２入力選択部４３との設定を第２送信モード用の設定にする。これにより、各送受信処理部３では、送受信選択部３１０が、分岐カプラ３０８が出力する送信信号をアンテナ１に出力できるようになる。また、各送受信処理部３では、フィードバック選択部３１２が分岐カプラ３０８で分岐される送信信号を出力できるようになり、信号選択部３１７が、ＦＢ送信複素信号ＦＳＳを出力できるようになる。そして、第１入力選択部４２が遅延部４１から出力される調整送信複素信号ＡＳＳを出力できるようになり、第２入力選択部４３が合成ＦＢ送信複素信号ＣＦＳＳを出力できるようになる。
【００８５】
次にステップｓ２２において、制御部５は、歪み補正値ＤＣを求める対象の送受信処理部３（以後、「対象送受信処理部３」と呼ぶ）を決定する。そして、制御部５は、送信信号選択部４０を制御して、当該送信信号選択部４０が、対象送受信処理部３から出力される調整送信複素信号ＡＳＳを出力するようにする。また、制御部５は、ＦＢ信号選択部４４を制御して、当該ＦＢ信号選択部４４が、対象送受信処理部３から出力されるＦＢ送信複素信号ＦＳＳを出力するようにする。そして、制御部５は、出力選択部４９を制御して、それに入力される歪み補正値ＤＣが対象送受信処理部３に出力されるようにする。
【００８６】
次にステップｓ２３において、制御部５が送信複素信号ＳＳ１を生成すると、ステップｓ２４〜ｓ２６の通信端末への信号の送信処理と、ステップｓ２７〜ｓ３０の調整値テーブル３２０ｂを更新する処理とが並列的に行われる。
【００８７】
ステップｓ２４では、上述のステップｓ１３と同様に、各送受信処理部３では、調整値算出部３０２が、振幅算出部３０１から出力される送信複素信号ＳＳ２の振幅ＡＭに対応する調整値αを、現在の送信スロット用の調整値テーブル３２０ｂから取得して送信信号調整部３０３に出力する。
【００８８】
次にステップｓ２５において、各送受信処理部３では、送信信号調整部３０３が、遅延部３００から出力される送信複素信号ＳＳ２と、入力された調整値αとを複素乗算して、当該送信複素信号ＳＳ２の振幅ＡＭ及び位相を調整する。これにより、アレイアンテナ２の指向性の制御と出力送信信号ＳＳＯの歪みを補正する処理とが同時に行われる。その後、ステップｓ２６において、アレイアンテナ２の各アンテナ１から送信信号が送信される。
【００８９】
ステップｓ２７では、サンプリング誤差補正部４６が、第１入力選択部４２から入力される調整送信複素信号ＡＳＳと、ＦＢ信号選択部４４から入力されるＦＢ送信複素信号ＦＳＳとに基づいて、当該ＦＢ送信複素信号ＦＳＳのサンプリング誤差を補正する。そして、サンプリング誤差補正部４６は、サンプリング誤差が補正されたＦＢ送信複素信号ＦＳＳを歪み補正値算出部４８に出力する。これにより、歪み補正値算出部４８には、調整送信複素信号ＡＳＳのサンプル値と、当該サンプル値に対応する、サンプリング誤差が補正されたＦＢ送信複素信号ＦＳＳのサンプル値とが同時に入力される。
【００９０】
次にステップｓ２８において、歪み補正値算出部４８は、入力される調整送信複素信号ＡＳＳとＦＢ送信複素信号ＦＳＳとを比較して、対象送受信処理部３で使用される歪み補正値ＤＣを新たに求めて出力選択部４９に出力する。出力選択部４９は入力された歪み補正値ＤＣを対象送受信処理部３に出力する。歪み補正値算出部４８では、送信複素信号ＳＳ２の各振幅ＡＭに応じて歪み補正値ＤＣが新たに求められる。
【００９１】
次にステップｓ２９において、対象送受信処理部３では、調整値算出部３０２が、対象送受信処理部３に入力された新たな歪み補正値ＤＣを用いて、歪み補正値テーブル３２０ａを更新する。そしてステップｓ３０において、調整値算出部３０２は、更新後の歪み補正値テーブル３２０ａと、当該調整値算出部３０２が記憶している、現在の送信スロットで使用する送信ウェイトＳＷとを用いて、現在の送信スロット用の調整値テーブル３２０ｂを更新する。以後、対象送受信処理部３では、送信複素信号ＳＳ２の振幅及び位相の調整に、更新後の調整値テーブル３２０ｂが使用される。
【００９２】
基地局１００では、以上の処理が送信期間の第１送信スロット〜第４送信スロットのそれぞれで行われる。送信期間において、送信スロットが変わると、ステップｓ２２で選択される対象送受信処理部３は変更される。これにより、１つの送信期間において、送受信処理部３ａ〜３ｄのすべての歪み補正値テーブル３２０ａ及び調整値テーブル３２０ｂが更新される。なお、送受信処理部３ａ〜３ｄの歪み補正値テーブル３２０ａ及び調整値テーブル３２０ｂの更新タイミングはこれに限られず、１つのフレームにおいて、１つの送受信処理部３の歪み補正値テーブル３２０ａ及び調整値テーブル３２０ｂを更新しても良い。この場合には、送受信処理部３ａ〜３ｄの歪み補正値テーブル３２０ａ及び調整値テーブル３２０ｂの更新は、互いに異なるフレームで行われることになる。
【００９３】
本実施の形態に係る基地局１００の各送受信処理部３では、ある送信スロットにおいて、新たに求められた歪み補正値ＤＣによって調整値テーブル３２０ｂが更新されると、更新後の調整値テーブル３２０ｂがすぐに使用されて送信複素信号ＳＳ２の振幅及び位相の調整が行われる。そのため、新たな歪み補正値ＤＣが求められる送信スロットにおいては、前半は更新前の調整値テーブル３２０ｂが使用され、後半は更新後の調整値テーブル３２０ｂが使用されることになる。つまり、歪み補正値ＤＣが更新される送信スロットにおいては、前半の送信信号は更新前の歪み補正値ＤＣに基づいて補正され、後半の送信信号は更新後の歪み補正値ＤＣに基づいて補正される。以下にこの点について詳細に説明する。
【００９４】
図１０は、時間の経過にともなって送信信号に対する送信ウェイトＳＷ及び歪み補正値ＤＣが変化していく様子を示す図である。以下では、説明を簡単にするために、送信期間及び受信期間のそれぞれが１つのスロットで構成されているものとする。また、ある時点での送信ウェイトＳＷ、歪み補正値ＤＣ及び調整値αを“ＳＷn”、“ＤＣm”及び“αk”とそれぞれ表する。そして、送信ウェイトＳＷnが１回更新されるたびに、添え字のｎが一つずつ増えていくものとする。同様に、歪み補正値ＤＣmが１回更新されるたびに、添え字のｍが一つずつ増えていくものとし、調整値αkが１回更新されるたびに、添え字のｋが一つずつ増えていくものとする。また、仮に調整値αが送信複素信号ＳＳ２に乗算されない場合においてアンテナ１から送信される送信信号をｆ（ｘ）で表す。
【００９５】
図１０に示されるように、ＳＷn・ＤＣm・ｆ（ｘ）と表される送信信号が送受信処理部３のアンテナ１から出力される送信スロットＳＳＬ１の次の受信スロットＲＳＬ１において、既知信号５００が受信されると、当該既知信号５００に基づいて新たな送信ウェイトＳＷが求められる。図１０の送信ウェイト算出期間５１０は、合成受信複素信号ＣＲＳに含まれる既知信号５００がウェイト・補正値算出部４に入力されてから、新たな送信ウェイトＳＷが算出されるまでの期間を示している。新たな送信ウェイトＳＷが算出されると、受信スロットＲＳＬ１のタイミング５２０において調整値テーブル３２０ｂが更新される。更新後の調整値αk+1はＳＷn+1・ＤＣmとなる。
【００９６】
受信スロットＲＳＬ１の次の送信スロットＳＳＬ２では、更新後の調整値αk+1が乗算された送信信号、つまりＳＷn+1・ＤＣm・ｆ（ｘ）と表される送信信号がアンテナ１から出力される。そして、送信スロットＳＳＬ２において、新たな歪み補正値ＤＣが算出されると、送信スロットＳＳＬ２のタイミング５３０において調整値テーブル３２０ｂが更新される。更新後の調整値αk+2はＳＷn+1・ＤＣm+1となる。そして、送信スロットＳＳＬ２において、更新後の調整値αk+2が乗算された送信信号、つまりＳＷn+1・ＤＣm+1・ｆ（ｘ）と表される送信信号がアンテナ１から出力される。なお、図９の歪み補正値算出期間５４０は、ＦＢ送信複素信号ＦＳＳがウェイト・補正値算出部４に入力されてから、送信複素信号ＳＳ２の各振幅に応じた新たな歪み補正値ＤＣが算出されるまでの期間を示している。
【００９７】
このように歪み補正値ＤＣが更新される送信スロットＳＳＬ２では、前半部分においては、更新前の歪み補正値ＤＣmに基づいて送信信号が補正され、後半部分においては更新後の歪み補正値ＤＣm+1に基づいて送信信号が補正される。
【００９８】
その後、送信スロットＳＳＬ２の次の受信スロットＲＳＬ２において、既知信号５００が受信されると、当該既知信号５００に基づいて新たな送信ウェイトＳＷが求められる。新たな送信ウェイトＳＷが算出されると、受信スロットＲＳＬ２のタイミング５４０で調整値テーブル３２０ｂが更新される。更新後の調整値αk+3はＳＷn+2・ＤＣm+1となる。
【００９９】
受信スロットＲＳＬ２の次の送信スロットＳＳＬ３では、更新後の調整値αk+3が乗算された送信信号、つまりＳＷn+2・ＤＣm+1・ｆ（ｘ）と表される送信信号がアンテナ１から出力される。なお図９の例では、送信スロットＳＳＬ３では、新たな歪み補正値ＤＣは算出されない。
【０１００】
以上のように、本実施の形態に係る基地局１００では、送信ウェイトＳＷに係る情報と歪み補正値ＤＣに係る情報とを含む調整値αに基づいて、増幅部３０７に入力される送信信号が調整されている。したがって、アレイアンテナ２の指向性の制御と増幅部３０７から出力される送信信号の歪みを補正する処理とが同時に行われる。その結果、送信複素信号ＳＳ２に対して送信ウェイトＳＷを乗算した後に歪み補正値ＤＣを乗算する等によって、アレイアンテナ２の指向性の制御と増幅部３０７から出力される送信信号の歪みを補正する処理とを別々に行う場合と比較して、処理負荷が大きく低減される。
【０１０１】
また、本実施の形態では、最適受信ウェイト算出部４５と最適補正ウェイト算出部４６０との間で誤差信号取得部４７０が共有されているため、基地局１００の構成が簡素化される。
【０１０２】
＜変形例＞
上述の例では、図１０に示されるように、歪み補正値ＤＣが更新される送信スロットＳＳＬ２においては、前半部分の送信信号は更新前の歪み補正値ＤＣmに基づいて補正され、後半の送信信号は更新後の歪み補正値ＤＣm+1に基づいて補正されている。一般的に、増幅部３０７の特性は急激には変化しないことから、上記のように、更新後の歪み補正値ＤＣを送信信号にすぐに反映させる必要は必ずしもない。
【０１０３】
そこで、本変形例では、新たな歪み補正値ＤＣが求められる送信スロットよりも後の送信スロットにおいて、当該新たな歪み補正値ＤＣを送信信号に反映させる。以下に本変形例について説明する。
【０１０４】
図１１は、本変形例での上述の図１０に対応する図である。図１１に示されるように、受信スロットＲＳＬ１で求められた送信ウェイトＳＷn+1を用いて調整値αkが更新されると、次の送信スロットＳＳＬ２では、更新後の調整値αk+1が乗算された送信信号、つまりＳＷn+1・ＤＣm・ｆ（ｘ）と表される送信信号がアンテナ１から出力される。そして、送信スロットＳＳＬ２において、新たな歪み補正値ＤＣが算出されると、送信スロットＳＳＬ２のタイミング５３０において歪み補正値テーブル３２０ａ及び調整値テーブル３２０ｂが更新される。更新後の調整値αk+2はＳＷn+1・ＤＣm+1となる。
【０１０５】
ここで、本変形例では、送信スロットＳＳＬ２において、更新後の調整値αk+2（＝ＳＷn+1・ＤＣm+1）を使用せずに、更新前の調整値αk+1（＝ＳＷn+1・ＤＣm）を使用して送信信号を補正する。つまり、更新前の歪み補正値ＤＣmに係る情報を含む調整値αk+1を使用して送信信号を補正する。したがって、図１０に示されるように、送信スロットＳＳＬ２の全期間において、アンテナ１からは、ＳＷn+1・ＤＣm・ｆ（ｘ）と表される送信信号が出力される。
【０１０６】
このように本変形例では、送信スロットにおいて新たな歪み補正値ＤＣが求められて調整値テーブル３２０ｂが更新されたとしても、当該送信スロットでは、更新後の調整値テーブル３２０ｂは使用されずに、更新前の調整値テーブル３２０ｂだけが使用される。したがって、歪み補正値ＤＣが更新されて、その更新された歪み補正値ＤＣに基づいて調整値テーブル３２０ｂが更新された場合には、調整値算出部３０２は更新前の調整値テーブル３２０ｂも記憶部３２０に記憶しておく。
【０１０７】
送信スロットＳＳＬ２の次の受信スロットＲＳＬ２になり、受信スロットＲＳＬ２で既知信号５００が受信されると、当該既知信号５００に基づいて新たな送信ウェイトＳＷが求められる。新たな送信ウェイトＳＷが算出されると、受信スロットＲＳＬ２のタイミング５４０で調整値テーブル３２０ｂが更新される。更新後の調整値αk+3はＳＷn+2・ＤＣm+1となる。
【０１０８】
受信スロットＲＳＬ２の次の送信スロットＳＳＬ３では、更新後の調整値αk+3が乗算された送信信号、つまりＳＷn+2・ＤＣm+1・ｆ（ｘ）と表される送信信号が送受信処理部３のアンテナ１から出力される。これにより、送信スロットＳＳＬ２で新たに求められた歪み補正値ＤＣ（＝ＤＣm+1）が、その後の送信スロットＳＳＬ３において送信信号に反映される。
【０１０９】
なお、送信期間が複数の送信スロット、例えば第１送信スロット〜第４送信スロットで構成されている場合には、新たな歪み補正値ＤＣが求められた送信スロットと同じ送信期間での送信スロットであって、新たな歪み補正値ＤＣが求められた送信スロットよりも後の送信スロットにおいて、新たな歪み補正値ＤＣに係る情報を含む調整値αを使用して送信信号を補正しても良い。例えば、第２送信スロットにおいて新たな歪み補正値ＤＣが求められた場合には、第３送信スロットあるいは第４送信スロットにおいて、当該新たな歪み補正値ＤＣに基づいて送信信号を補正しても良い。
【０１１０】
また、新たな歪み補正値ＤＣが求められた送信スロットが属するフレームよりも２フレーム以上の後の送信スロットにおいて、新たな歪み補正値ＤＣに基づいて送信信号を補正しても良い。
【０１１１】
＜その他の変形例＞
以上の説明では、歪み補正値ＤＣは、送信信号の振幅及び位相の両方を補正するためのものであったが、増幅部３０７の出力送信信号ＳＳＯの位相がそれほどずれない場合には、歪み補正値ＤＣを、送信信号の振幅のみを補正するためのものとし、歪み補正値ＤＣに基づいて送信信号の振幅のみを補正しても良い。逆に、増幅部３０７の出力送信信号ＳＳＯの振幅がそれほどずれない場合には、歪み補正値ＤＣを、送信信号の位相のみを補正するためのものとし、歪み補正値ＤＣに基づいて送信信号の位相のみを補正しても良い。
【０１１２】
また、上述の説明では、本発明を非特許文献１に記載のＰＨＳの基地局に適用する場合について説明したが、本発明は、他の通信システムの基地局にも適用することができる。
【符号の説明】
【０１１３】
２  アレイアンテナ
４  ウェイト・補正値算出部
３０  通信部
４５  最適受信ウェイト算出部
４６  サンプリング誤差補正部
４８  歪み補正値算出部
１００  基地局
３０２  調整値算出部
３０３  送信信号調整部
３０５  Ｄ／Ａ変換器
３０７  増幅部
３１４  Ａ／Ｄ変換器
３１６  受信ウェイト処理部
３２０  記憶部
３２０ａ  歪み補正値テーブル
３２０ｂ  調整値テーブル
４６０  最適補正ウェイト算出部
４７０  誤差信号取得部
４８２  補正ウェイト処理部
４８３  フィードバック信号合成部
【図１】
2011244087.tif 000003
【図２】
2011244087.tif 000004
【図３】
2011244087.tif 000005
【図４】
2011244087.tif 000006
【図５】
2011244087.tif 000007
【図６】
2011244087.tif 000008
【図７】
2011244087.tif 000009
【図８】
2011244087.tif 000010
【図９】
2011244087.tif 000011
【図１０】
2011244087.tif 000012
【図１１】
2011244087.tif 000013